(57)【要約】【課題】測定装置の製造コストの高騰や操作性の悪化を招くことなく、測定処理の結果を携帯端末装置の表示部に確実に表示させる。【解決手段】測定装置１から送信された測定結果表示用データＤ１に基づいて表示部２３に測定結果を表示させる処理を制御部２６に実行させる測定システム用プログラムＤｐがインストールされたスマートフォン２であって、制御部２６は、測定システム用プログラムＤｐに従い、表示用データＤ１の送信を要求する送信要求信号Ｓ０を測定装置１に送信する第１の処理と、表示用データＤ１の送信要求に対応して測定装置１から送信された表示用データＤ１に基づく測定結果を表示部２３に表示させる第２の処理とを交互に実行すると共に、要求信号Ｓ０を送信してから表示用データＤ１が測定装置１から送信されることなく予め規定された第１の時間が経過したときに、第２の処理を実行することなく第１の処理を実行する。【選択図】図１
2013198024.tif 000002
【特許請求の範囲】
【請求項１】
表示部および制御部を備えると共に、測定装置から送信された測定結果表示用データに基づいて前記表示部に測定結果を表示させる処理を前記制御部に実行させる測定システム用プログラムがインストールされた携帯端末装置であって、
前記制御部は、前記測定システム用プログラムに従い、前記測定結果表示用データの送信を要求する送信要求信号を前記測定装置に送信する第１の処理と、前記測定結果表示用データの送信要求に対応して前記測定装置から送信された前記測定結果表示用データに基づく前記測定結果を前記表示部に表示させる第２の処理とを交互に実行すると共に、前記送信要求信号を送信してから前記測定結果表示用データが前記測定装置から送信されることなく予め規定された第１の時間が経過したときに、前記第２の処理を実行することなく前記第１の処理を実行する携帯端末装置。
【請求項２】
前記測定装置による測定処理の条件を指定するためのスイッチ操作が可能な操作部を備え、
前記制御部は、前記スイッチ操作によって前記測定処理の条件が指定されたときに、前記測定システム用プログラムに従い、前記測定結果表示用データが前記測定装置から送信されてから前記第１の処理を開始するまでの間、および前記送信要求信号を送信してから前記測定結果表示用データが前記測定装置から送信されることなく前記第１の時間が経過してから次の前記第１の処理を開始するまでの間のいずれかの時間内に、前記指定された条件に従って生成した制御データを前記測定装置に送信する第３の処理を実行する請求項１記載の携帯端末装置。
【請求項３】
電気的パラメータの測定処理を実行する測定部、および当該測定部を制御する測定装置側制御部を備えた測定装置と、
携帯端末側表示部および携帯端末側制御部を備えると共に、前記測定装置から送信された測定結果表示用データに基づいて前記携帯端末側表示部に測定結果を表示させる処理を前記携帯端末側制御部に実行させる測定システム用プログラムがインストールされた携帯端末装置とを備えて構成された測定システムであって、
前記測定部は、予め設定された測定条件に従って前記測定処理を実行し、
前記携帯端末側制御部は、前記測定システム用プログラムに従い、前記測定結果表示用データの送信を要求する送信要求信号を前記測定装置に送信する第１の処理と、前記測定結果表示用データの送信要求に対応して前記測定装置から送信された前記測定結果表示用データに基づく前記測定結果を前記携帯端末側表示部に表示させる第２の処理とを交互に実行すると共に、前記送信要求信号を送信してから前記測定結果表示用データが前記測定装置から送信されることなく予め規定された第１の時間が経過したときに、前記第２の処理を実行することなく前記第１の処理を実行し、
前記測定装置側制御部は、前記携帯端末装置から前記送信要求信号が送信されたときに、前記測定部による前記測定処理の結果に基づいて生成した前記測定結果表示用データを当該携帯端末装置に送信する測定システム。
【請求項４】
前記携帯端末装置は、前記測定装置による測定処理の条件を指定するためのスイッチ操作が可能な操作部を備え、
前記携帯端末側制御部は、前記スイッチ操作によって前記測定処理の条件が指定されたときに、前記測定システム用プログラムに従い、前記測定結果表示用データが前記測定装置から送信されてから前記第１の処理を開始するまでの間、および前記送信要求信号を送信してから前記測定結果表示用データが前記測定装置から送信されることなく前記第１の時間が経過してから次の前記第１の処理を開始するまでの間のいずれかの時間内に、前記指定された条件に従って生成した制御データを前記測定装置に送信する第３の処理を実行し、
前記測定装置側制御部は、前記携帯端末装置から送信された前記制御データに従って前記測定部を制御して前記指定された条件に従って前記測定処理を実行させる請求項３記載の測定システム。
【請求項５】
前記測定装置は、測定装置側表示部を備え、
前記測定装置側制御部は、前記測定処理の測定結果を予め規定された時間間隔で前記測定装置側表示部に表示させると共に、前記送信要求信号が送信されたときに、前記予め規定された時間間隔のＮ倍（Ｎは自然数）の時間間隔で前記測定結果表示用データを前記携帯端末装置に送信する請求項３または４記載の測定システム。
【請求項６】
測定装置から送信された測定結果表示用データに基づく測定結果を携帯端末装置の表示部に表示させる処理を当該携帯端末装置の制御部に実行させる測定システム用プログラムであって、
前記測定結果表示用データの送信を要求する送信要求信号を前記測定装置に送信させる第１の処理と、前記測定結果表示用データの送信要求に対応して前記測定装置から送信された前記測定結果表示用データに基づく前記測定結果を前記表示部に表示させる第２の処理とを前記制御部に交互に実行させると共に、前記送信要求信号を送信させてから前記測定結果表示用データが前記測定装置から送信されることなく予め規定された第１の時間が経過したときに、前記第２の処理を実行することなく前記第１の処理を前記制御部に実行させる測定システム用プログラム。
【発明の詳細な説明】
【技術分野】
【０００１】
本発明は、測定装置から送信された測定結果表示用データに基づく測定結果を表示部に表示させる構成の携帯端末装置、そのような携帯端末装置と測定装置とを備えて構成された測定システム、および測定結果表示用データに基づく測定結果を表示させるための測定システム用プログラムに関するものである。
【背景技術】
【０００２】
例えば、特開２０１１−１７６５３０号公報には、携帯電話を使用してＯＴＤＲ（光パルス試験機）を遠隔操作可能に構成された遠隔操作システムが開示されている。このシステムにおいて、携帯電話によってＯＴＤＲを遠隔操作するには、まず、携帯電話を操作してユーザＩＤおよびパスワードを入力することにより、携帯電話およびＯＴＤＲを相互に無線接続させる。この際には、携帯電話からＯＴＤＲに初期化指令が送信されて、ＯＴＤＲが初期化される。次いで、携帯電話を操作して、測定条件を設定する。この際には、携帯電話からＯＴＤＲに測定条件のデータが送信されて、ＯＴＤＲが初期化される。続いて、携帯電話を操作して、測定開始指令を送信させる。
【０００３】
これに応じて、ＯＴＤＲでは、携帯電話から送信された測定条件に従って測定処理が実行される。また、ＯＴＤＲは、その時点におけるＯＴＤＲの状態を示す状態情報を携帯電話に送信する。この際に、携帯電話では、送信された状態情報に基づき、ＯＴＤＲの状態が表示部に表示される。また、携帯電話では、測定データ要求部が、ＯＴＤＲによる測定処理が終了したか否かを状態情報に基づいて判別し、終了したと判別したときに、波形データの送信を要求するデータ要求を送信する。これに応じて、ＯＴＤＲから携帯電話に波形データが送信されて、送信された波形データに基づく波形が携帯電話の表示部に表示される。
【０００４】
また、上記の公開公報には、ＯＴＤＲによる測定の結果を携帯電話の表示部にリアルタイム表示させる例が開示されている。具体的には、この例では、携帯電話が、ＯＴＤＲに測定開始指令を送信した後に、データ要求を送信する処理と、ＯＴＤＲから送信された波形データに基づく波形の表示処理とを一定時間間隔で交互に実行する。これにより、携帯電話の表示部に表示されている測定結果が一定時間間隔で更新される。
【先行技術文献】
【特許文献】
【０００５】
【特許文献１】特開２０１１−１７６５３０号公報（第６−９頁、第１−１２図）
【発明の概要】
【発明が解決しようとする課題】
【０００６】
ところが、従来の遠隔操作システムには、以下の問題点が存在する。すなわち、従来の遠隔操作システムでは、携帯電話から送信されたデータ要求に従ってＯＴＤＲから携帯電話に波形データを送信することで携帯電話の表示部に測定結果を表示させる構成が採用されている。しかしながら、従来の遠隔操作システムでは、携帯電話からＯＴＤＲへの各種信号の送信タイミングや、ＯＴＤＲから携帯電話への各種データの送信タイミングに関して規定されていない。このため、従来の遠隔操作システムでは、ＯＴＤＲから携帯電話に波形データを送信している最中に携帯電話からＯＴＤＲに送信要求信号が送信されて、ＯＴＤＲからの波形データが携帯電話によって正常に受信されなかったり、携帯電話からの送信要求信号がＯＴＤＲによって正常に受信されなかったりする事態を招くおそれがある。したがって、従来の遠隔操作システムでは、ＯＴＤＲによる測定処理の結果を携帯電話の表示部に表示させることができないことがあるという問題点が存在する。
【０００７】
また、従来の遠隔操作システムでは、ＯＴＤＲが、携帯電話から送信された測定条件および測定開始指令に従って測定処理を実行する構成が採用されている。このため、従来の遠隔操作システムでは、携帯電話を使用せずに、ＯＴＤＲを単独で使用して測定処理を実行することができず、遠隔操作する必要のない位置（ＯＴＤＲに触れることができる極く近く）に利用者が位置していたとしても、測定処理の実行に際して携帯電話を操作しなくてはならないという問題点がある。この場合、従来の遠隔操作システムにおいてＯＴＤＲだけで測定処理を実行可能とするには、携帯電話からの信号に従って測定処理を実行する動作モードに加えて、ＯＴＤＲ単独で測定処理を実行可能な動作モードを別途用意する必要が生じる。したがって、ＯＴＤＲの製造コストが高騰すると共に、利用形態に応じて動作モードを切り替える作業が必要となる分だけ、その操作性が悪化するという問題が生じる。
【０００８】
本発明は、かかる問題点に鑑みてなされたものであり、測定装置の製造コストの高騰や操作性の悪化を招くことなく、測定装置による測定処理の結果を携帯端末装置の表示部に確実に表示させ得る携帯端末装置、測定システムおよび測定システム用プログラムを提供することを主目的とする。
【課題を解決するための手段】
【０００９】
上記目的を達成すべく請求項１記載の携帯端末装置は、表示部および制御部を備えると共に、測定装置から送信された測定結果表示用データに基づいて前記表示部に測定結果を表示させる処理を前記制御部に実行させる測定システム用プログラムがインストールされた携帯端末装置であって、前記制御部は、前記測定システム用プログラムに従い、前記測定結果表示用データの送信を要求する送信要求信号を前記測定装置に送信する第１の処理と、前記測定結果表示用データの送信要求に対応して前記測定装置から送信された前記測定結果表示用データに基づく前記測定結果を前記表示部に表示させる第２の処理とを交互に実行すると共に、前記送信要求信号を送信してから前記測定結果表示用データが前記測定装置から送信されることなく予め規定された第１の時間が経過したときに、前記第２の処理を実行することなく前記第１の処理を実行する。
【００１０】
また、請求項２記載の携帯端末装置は、請求項１記載の携帯端末装置において、前記測定装置による測定処理の条件を指定するためのスイッチ操作が可能な操作部を備え、前記制御部は、前記スイッチ操作によって前記測定処理の条件が指定されたときに、前記測定システム用プログラムに従い、前記測定結果表示用データが前記測定装置から送信されてから前記第１の処理を開始するまでの間、および前記送信要求信号を送信してから前記測定結果表示用データが前記測定装置から送信されることなく前記第１の時間が経過してから次の前記第１の処理を開始するまでの間のいずれかの時間内に、前記指定された条件に従って生成した制御データを前記測定装置に送信する第３の処理を実行する。
【００１１】
また、請求項３記載の測定システムは、電気的パラメータの測定処理を実行する測定部、および当該測定部を制御する測定装置側制御部を備えた測定装置と、携帯端末側表示部および携帯端末側制御部を備えると共に、前記測定装置から送信された測定結果表示用データに基づいて前記携帯端末側表示部に測定結果を表示させる処理を前記携帯端末側制御部に実行させる測定システム用プログラムがインストールされた携帯端末装置とを備えて構成された測定システムであって、前記測定部は、予め設定された測定条件に従って前記測定処理を実行し、前記携帯端末側制御部は、前記測定システム用プログラムに従い、前記測定結果表示用データの送信を要求する送信要求信号を前記測定装置に送信する第１の処理と、前記測定結果表示用データの送信要求に対応して前記測定装置から送信された前記測定結果表示用データに基づく前記測定結果を前記携帯端末側表示部に表示させる第２の処理とを交互に実行すると共に、前記送信要求信号を送信してから前記測定結果表示用データが前記測定装置から送信されることなく予め規定された第１の時間が経過したときに、前記第２の処理を実行することなく前記第１の処理を実行し、前記測定装置側制御部は、前記携帯端末装置から前記送信要求信号が送信されたときに、前記測定部による前記測定処理の結果に基づいて生成した前記測定結果表示用データを当該携帯端末装置に送信する。
【００１２】
さらに、請求項４記載の測定システムは、請求項３記載の測定システムにおいて、前記携帯端末装置は、前記測定装置による測定処理の条件を指定するためのスイッチ操作が可能な操作部を備え、前記携帯端末側制御部は、前記スイッチ操作によって前記測定処理の条件が指定されたときに、前記測定システム用プログラムに従い、前記測定結果表示用データが前記測定装置から送信されてから前記第１の処理を開始するまでの間、および前記送信要求信号を送信してから前記測定結果表示用データが前記測定装置から送信されることなく前記第１の時間が経過してから次の前記第１の処理を開始するまでの間のいずれかの時間内に、前記指定された条件に従って生成した制御データを前記測定装置に送信する第３の処理を実行し、前記測定装置側制御部は、前記携帯端末装置から送信された前記制御データに従って前記測定部を制御して前記指定された条件に従って前記測定処理を実行させる。
【００１３】
また、請求項５記載の測定システムは、請求項３または４記載の測定システムにおいて、前記測定装置は、測定装置側表示部を備え、前記測定装置側制御部は、前記測定処理の測定結果を予め規定された時間間隔で前記測定装置側表示部に表示させると共に、前記送信要求信号が送信されたときに、前記予め規定された時間間隔のＮ倍（Ｎは自然数）の時間間隔で前記測定結果表示用データを前記携帯端末装置に送信する。
【００１４】
また、請求項６記載の測定システム用プログラムは、測定装置から送信された測定結果表示用データに基づく測定結果を携帯端末装置の表示部に表示させる処理を当該携帯端末装置の制御部に実行させる測定システム用プログラムであって、前記測定結果表示用データの送信を要求する送信要求信号を前記測定装置に送信させる第１の処理と、前記測定結果表示用データの送信要求に対応して前記測定装置から送信された前記測定結果表示用データに基づく前記測定結果を前記表示部に表示させる第２の処理とを前記制御部に交互に実行させると共に、前記送信要求信号を送信させてから前記測定結果表示用データが前記測定装置から送信されることなく予め規定された第１の時間が経過したときに、前記第２の処理を実行することなく前記第１の処理を前記制御部に実行させる。
【発明の効果】
【００１５】
請求項１記載の携帯端末装置、および請求項３記載の測定システムでは、制御部（携帯端末側制御部）が、測定システム用プログラムに従い、送信要求信号を測定装置に送信する第１の処理と、測定結果表示用データの送信要求に対応して測定結果表示用データに基づく測定結果を表示部に表示させる第２の処理とを交互に実行すると共に、送信要求信号を送信してから測定結果表示用データが送信されることなく第１の時間が経過したときに第２の処理を実行する。また、請求項６記載の測定システム用プログラムでは、送信要求信号を測定装置に送信させる第１の処理と、測定結果表示用データの送信要求に対応して測定結果表示用データに基づく測定結果を表示部に表示させる第２の処理とを制御部に交互に実行させると共に、送信要求信号を送信させてから測定結果表示用データが送信されることなく第１の時間が経過したときに第２の処理を制御部に実行させるようにプログラミングされている。
【００１６】
したがって、請求項１記載の携帯端末装置、請求項３記載の測定システム、および請求項６記載の測定システム用プログラムによれば、測定装置から携帯端末装置に測定結果表示用データが送信されているときに携帯端末装置から測定装置に送信要求信号が送信されて、測定装置からの測定結果表示用データが携帯端末装置によって受信されなかったり、携帯端末装置からの送信要求信号が測定装置によって受信されなかったりする事態が生じるのを確実に回避することができる。このため、測定装置から送信された測定結果表示用データに基づく測定結果を携帯端末装置の表示部（携帯端末側表示部）に確実に表示させることができる。また、携帯電話からの測定開始指令に従ってＯＴＤＲが測定処理を実行する構成の従来の遠隔操作システムとは異なり、携帯端末装置からの制御データに従って測定処理を実行する動作モード、および単独で測定処理を実行可能な動作モードの２種類の動作モードで使用できるように測定装置を構成する必要がないため、測定装置の製造コストが高騰する事態を回避することができると共に、利用形態に応じて動作モードを切り替える作業が不要となるため、この種の装置の操作に不慣れな利用者であっても、測定装置を容易に操作することができる。また、携帯端末装置による遠隔操作が不要なときには、測定装置を単独で使用して測定処理を実行させることもできる。
【００１７】
請求項２記載の携帯端末装置、および請求項４記載の測定システムでは、測定処理の条件が指定されたときに、制御部（携帯端末側制御部）が、測定システム用プログラムに従い、指定された条件に従って生成した制御データを測定装置に送信する第３の処理を、測定結果表示用データが送信されてから第１の処理を開始するまでの間、および第１の処理において送信要求信号を送信してから測定結果表示用データが送信されることなく第１の時間が経過してから次の第１の処理を開始するまでの間のいずれかの時間内に実行する。
【００１８】
したがって、請求項２記載の携帯端末装置、および請求項４記載の測定システムによれば、測定部による測定処理や、携帯端末装置による測定結果の表示処理を中断することなく、携帯端末装置の操作部を操作して測定部の測定処理の条件を変更することができると共に、測定装置から携帯端末装置に測定結果表示用データが送信されているときに携帯端末装置から測定装置に制御データが送信されて、測定装置からの測定結果表示用データが携帯端末装置によって受信されなかったり、携帯端末装置からの制御データが測定装置によって受信されなかったりする事態が生じるのを確実に回避することができる。
【００１９】
さらに、請求項５記載の測定システムによれば、送信要求信号が送信されたときに、測定装置側制御部が、測定装置側表示部に測定結果を表示させる時間間隔のＮ倍の時間間隔で測定結果表示用データを携帯端末装置に送信することにより、測定装置から携帯端末装置に同一の測定結果表示用データが連続して送信される事態が生じるのを回避して、測定装置および携帯端末装置の間における不要な通信を十分に減少させることができる。
【図面の簡単な説明】
【００２０】
【図１】測定システム１００の構成を示すブロック図である。
【図２】測定システム１００における測定装置１およびスマートフォン２の外観図である。
【図３】測定装置１およびスマートフォン２の動作について説明するための説明図である。
【図４】測定装置１およびスマートフォン２の動作について説明するための他の説明図である。
【発明を実施するための形態】
【００２１】
以下、携帯端末装置、測定システムおよび測定システム用プログラムの実施の形態について、添付図面を参照して説明する。
【００２２】
図１，２に示す測定システム１００は、測定装置１およびスマートフォン２を備えて構成されている。この場合、「スマートフォン」は、広義には、ＰＤＡ（携帯情報端末）の機能が備わった携帯電話を意味するが、本明細書では、この広義の「スマートフォン」のうちの「各種プログラムのインストールによって、任意の機能を付加したり、端末の操作環境や表示環境等をカスタマイズしたりすることができるもの」を「スマートフォン」という。また、上記のスマートフォン２は、「携帯端末装置」の一例であって、後述するように、この測定システム１００専用の測定システム用プログラムＤｐがインストールされた既存の「スマートフォン」で構成されている。
【００２３】
測定装置１は、「測定装置」の一例であるクランプ式抵抗測定装置であって、図１に示すように、測定部１１、操作部１２、表示部１３、無線通信部１４、有線通信部１５、制御部１６およびメモリ１７を備えて構成されている。測定部１１は、制御部１６の制御に従い、クランプセンサ部１１ａ（図２参照）によってクランプした図示しない測定対象体の接地抵抗値（「電気的パラメータ」の一例）を測定する測定処理を実行して、その測定値を制御部１６に出力する。操作部１２は、測定装置１の動作条件（測定条件）を設定操作するための複数の操作スイッチを備え、スイッチ操作に応じた操作信号を制御部１６に出力する。表示部１３は、「測定装置側表示部」の一例であって、制御部１６の制御に従い、設定されている測定モードの種類やバッテリの残量等を表示すると共に、測定部１１による測定処理の結果を表示する。
【００２４】
無線通信部１４は、一例として、ブルートゥース（Bluetooth ：登録商標）規格に準じた近距離無線通信を実行可能に構成されて、後述するようにスマートフォン２との間でペアリングされた状態において、スマートフォン２から送信された送信要求信号Ｓ０や制御データＤ０を受信して制御部１６に出力すると共に、制御部１６の制御に従って測定結果表示用データＤ１をスマートフォン２に送信する。有線通信部１５は、一例として、ＵＳＢ規格に準じた接続コネクタ（図示せず）を備えて、この接続コネクタに接続される信号ケーブルＣ（図１参照）を介してスマートフォン２と接続可能に構成されている。また、有線通信部１５は、信号ケーブルＣを介してスマートフォン２と接続された状態において、スマートフォン２から送信された送信要求信号Ｓ０や制御データＤ０を受信して制御部１６に出力すると共に、制御部１６の制御に従って測定結果表示用データＤ１をスマートフォン２に送信する。
【００２５】
制御部１６は、「測定装置側制御部」の一例であって、測定装置１を総括的に制御する。具体的には、制御部１６は、操作部１２のスイッチ操作によって設定された測定条件、または、後述するようにスマートフォン２から送信される制御データＤ０に従って測定部１１を制御して測定処理を実行させる。また、制御部１６は、後述するようにスマートフォン２から送信される送信要求信号Ｓ０に従い、スマートフォン２に測定結果を表示させるための測定結果表示用データＤ１を生成して、無線通信部１４または有線通信部１５からスマートフォン２に送信させる。メモリ１７は、制御部１６の動作プログラムや、後述するようにして制御部１６によって生成される測定結果表示用データＤ１などを記憶する。
【００２６】
一方、スマートフォン２は、上記したように、測定システム用プログラムＤｐ（「測定システム用プログラム」の一例）がインストールされた既存の「スマートフォン」で構成されている。具体的には、図１に示すように、スマートフォン２は、本体メモリ２１、操作部２２、表示部２３、無線通信部２４、有線通信部２５、制御部２６およびストレージメモリ装着部２７を備えて構成されている。なお、スマートフォン２における「携帯電話としての機能」や「ＰＤＡとしての機能」を実現するための構成要素については公知のため、図示および説明を省略する。本体メモリ２１は、スマートフォン２の動作プログラムを記憶すると共に、測定システム用プログラムＤｐ等の各種プログラム（利用者がインストールしたプログラム）を記憶する。なお、測定システム用プログラムＤｐ等のプログラムの一部については、ストレージメモリ装着部２７に装着されたストレージメモリＭにインストールすることもできる。
【００２７】
操作部２２は、図示しない電源スイッチなどの他に、表示部２３の表面側に配設されたタッチパネルを備えて構成されて、これらの操作に応じた操作信号を制御部２６に出力する。表示部２３は、「携帯端末側表示部」の一例であって、制御部２６の制御に従って各種の表示画面を表示する。この場合、この測定システム１００では、後述するようにスマートフォン２において測定システム用プログラムＤｐが実行されたときに、図２に示すように、測定処理用画面３０が表示部２３に表示される。この測定処理用画面３０には、一例として、測定装置１から送信された測定結果表示用データＤ１に基づく測定結果を表示する測定結果表示３１や、操作部２２におけるタッチパネルの操作によって測定装置１による測定処理の測定条件等を変更操作するための操作スイッチ表示３２などが表示される。
【００２８】
無線通信部２４は、測定装置１の無線通信部１４と同様にして、ブルートゥース規格に準じた近距離無線通信を実行可能に構成されて、後述するように、測定装置１との間でペアリングされた状態において、制御部２６の制御に従って測定装置１に送信要求信号Ｓ０や制御データＤ０を送信すると共に、測定装置１から送信された測定結果表示用データＤ１を受信して制御部２６に出力する。有線通信部２５は、測定装置１の有線通信部１５と同様にして、ＵＳＢ規格に準じた接続コネクタを備えて、この接続コネクタに接続される信号ケーブルＣ（図１参照）を介して測定装置１や図示しない各種の外部装置と接続可能に構成されている。この有線通信部２５は、信号ケーブルＣを介して測定装置１と接続された状態において、制御部２６の制御に従って測定装置１に送信要求信号Ｓ０や制御データＤ０を送信すると共に、測定装置１から送信された測定結果表示用データＤ１を受信して制御部２６に出力する。
【００２９】
制御部２６は、「携帯端末側制御部」の一例であって、スマートフォン２を総括的に制御する。具体的には、制御部２６は、測定システム用プログラムＤｐに従い、一例として、操作部２２の操作によって、測定処理用画面３０を表示させるように指示されたときに、測定処理用画面３０を表示部２３に表示させると共に、無線通信部２４または有線通信部２５を介して測定装置１に送信要求信号Ｓ０を送信する処理（「第１の処理」の一例）を実行する。また、制御部２６は、無線通信部２４または有線通信部２５によって測定結果表示用データＤ１が受信されたときに、受信された測定結果表示用データＤ１に基づき、測定処理用画面３０の測定結果表示３１に測定結果を数値表示させる処理（「第２の処理」の一例）を実行する。
【００３０】
この場合、このスマートフォン２にインストールされている測定システム用プログラムＤｐは、スマートフォン２の制御部２６が「第１の処理」および「第２の処理」を交互に実行するようにプログラミングされている。また、この測定システム用プログラムＤｐでは、測定装置１に送信要求信号Ｓ０を送信してから測定結果表示用データＤ１が測定装置１から送信されることなく予め規定された時間（「第１の時間」の一例：詳しくは後述する）が経過したときに、制御部２６が「第２の処理」を実行することなく「第１の処理」を実行するようにプログラミングされている。
【００３１】
さらに、この測定システム用プログラムＤｐでは、操作部２２におけるタッチパネルの操作によって、測定装置１に実行させる測定処理に関する新たな条件（新たな測定条件）が指定されたときに、指定された条件に従って生成した制御データＤ０を測定装置１に送信する処理（「第３の処理」の一例）を、測定結果表示用データＤ１が測定装置１から送信されてから上記の「第１の処理」を開始するまでの間、および送信要求信号Ｓ０を送信してから測定結果表示用データＤ１が送信されることなく「第１の時間」が経過してから次の「第１の処理」を開始するまでの間のいずれかの時間内に実行するようにプログラミングされている。
【００３２】
この測定システム１００の使用に際しては、まず、スマートフォン２に測定システム用プログラムＤｐをインストールする。この測定システム用プログラムＤｐについては、一例として、測定装置１の附属品としてインストール用光ディスクを提供したり、インターネット内の任意のサイトからダウンロードして使用するようにしたりすることができる。なお、測定システム用プログラムＤｐのインストール作業に関しては、「スマートフォンに対する各種プログラムのインストール作業」と同様のため、詳細な説明を省略する。次いで、測定装置１とスマートフォン２との間においてブルートゥースのペアリングを行う。なお、ペアリング作業に関しては、公知の各種ブルートゥース機器のペアリング作業と同様のため、詳細な説明を省略する。これにより、測定システム１００を使用する準備が整う。
【００３３】
一方、測定システム１００を使用して測定対象体についての測定処理を実施するには、一例として、測定装置１の操作部１２を制御して測定処理の条件を設定すると共に、クランプセンサ部１１ａによって測定対象体をクランプする。次いで、操作部１２のスタートスイッチが操作されたときに、制御部１６が、設定された測定条件に従って測定部１１を制御して測定部１１に測定処理を開始させ、測定部１１が、クランプセンサ部１１ａによってクランプされている測定対象体の接地抵抗値を測定して、その測定値を制御部１６に出力する。これに応じて、制御部１６は、測定部１１から出力された測定値に基づいて測定結果表示用データを生成して表示部１３に出力する。これにより、図２に示すように、測定対象体についての接地抵抗値が表示部１３に表示される。
【００３４】
この場合、図３に示すように、この測定システム１００を構成する測定装置１では、スマートフォン２を使用することなく単独で測定処理を実行することができるように、構成されており、設定された測定条件に従い、例えば、０．５秒間隔で測定対象体についての接地抵抗値が測定されて、その測定結果が表示部１３に表示される構成が採用されている。具体的には、この測定装置１では、時点ｔ０から時点ｔ１までの間に測定部１１によって測定された接地抵抗値（測定結果）が時点ｔ１から時点ｔ２の間に表示部１３に表示され、時点ｔ１から時点ｔ２までの間に測定された接地抵抗値（測定結果）が時点ｔ２から時点ｔ３の間に表示される構成が採用されている。（「測定処理の測定結果を予め規定された時間間隔で測定装置側表示部に表示させる」との構成の一例）。
【００３５】
続いて、測定装置１による測定処理を継続させた状態において、スマートフォン２の操作部２２を操作して、一例として、無線通信部２４をオン状態にする（通信可能な状態とする）。この際には、前述したペアリング作業によってペアリングされた測定装置１の無線通信部１４とスマートフォン２の無線通信部２４とが相互に通信可能な状態となる。次いで、操作部２２を操作して、測定システム用プログラムＤｐを起動させる。この際に、制御部２６は、測定システム用プログラムＤｐに従い、表示部２３を制御して表示部２３に測定処理用画面３０を表示させると共に、無線通信部２４を制御して測定装置１に対して測定結果表示用データＤ１の送信を要求する送信要求信号Ｓ０を送信させる（「第１の処理」の一例）。
【００３６】
また、測定装置１では、無線通信部１４によって送信要求信号Ｓ０が受信されたときに（「携帯端末装置から送信要求信号が送信されたとき」の一例）、制御部１６が、測定部１１から出力された測定値に基づいて測定結果表示用データＤ１を生成すると共に、無線通信部１４を制御して、生成した測定結果表示用データＤ１をスマートフォン２に送信させる。一方、スマートフォン２では、無線通信部２４によって測定結果表示用データＤ１が受信されたときに、制御部２６が、一例として、ストレージメモリ装着部２７に装着されているストレージメモリＭに測定結果表示用データＤ１を記憶させると共に、表示部２３を制御して、送信された測定結果表示用データＤ１に基づく測定結果を測定処理用画面３０に表示させる（「第２の処理」の一例）。これにより、図２に示すように、測定装置１の測定部１１による測定処理の結果が、スマートフォン２の表示部２３における測定処理用画面３０に測定結果表示３１として表示される。
【００３７】
この場合、図３に示すように、この測定システム１００では、例えば、時点ｔ１２にスマートフォン２から測定装置１に送信要求信号Ｓ０が送信されたときに、制御部１６が、時点ｔ１１から時点ｔ１３までの間に測定部１１によって測定された接地抵抗値（測定結果）を時点ｔ１３から時点ｔ１５まで表示部１３に表示させると共に、この測定値に基づく測定結果表示用データＤ１を時点ｔ１３に無線通信部１４から測定装置１に送信させ、これに応じて、制御部２６が、送信された測定結果表示用データＤ１に基づく測定結果（測定結果表示３１）を表示部２３（測定処理用画面３０）に表示させる構成が採用されている。また、この測定システム１００では、時点ｔ１３に測定装置１からスマートフォン２に測定結果表示用データＤ１が送信されて、この測定結果表示用データＤ１に基づく測定結果（測定結果表示３１）がスマートフォン２の表示部２３（測定処理用画面３０）に表示されてから、予め規定された時間（一例として、０．２秒）が経過した時点ｔ１４に次の測定結果表示用データＤ１の送信を要求する送信要求信号Ｓ０がスマートフォン２から測定装置１に送信される。
【００３８】
さらに、時点ｔ１４においてスマートフォン２から送信要求信号Ｓ０が送信されたときに、測定装置１では、制御部１６が時点ｔ１３から時点ｔ１５までの間に測定された接地抵抗値（測定結果）を時点ｔ１５から時点ｔ１６まで表示部１３に表示させると共に、この測定値に基づく測定結果表示用データＤ１を時点ｔ１５に測定装置１に送信させ（「予め規定された時間間隔のＮ倍（この例では、Ｎ＝１倍）の時間間隔で測定結果表示用データを携帯端末装置に送信する」との構成の一例）、これに応じて、制御部２６が、送信された測定結果表示用データＤ１に基づく測定結果（測定結果表示３１）を表示部２３（測定処理用画面３０）に表示させる。なお、測定装置１の表示部１３に測定結果を表示させる都度、スマートフォン２に測定結果表示用データＤ１を送信してスマートフォン２の表示部２３に測定結果（測定結果表示３１）を表示させる例（「Ｎ＝１倍」の例）について説明したが、表示部１３に対する測定結果の表示周期（この例では、０．５秒周期）のＮ倍（Ｎは自然数）の時間間隔（例えば、１秒間隔）でスマートフォン２に測定結果表示用データＤ１を送信してスマートフォン２の表示部２３に測定結果（測定結果表示３１）を表示させることもできる。
【００３９】
このように、この測定システム１００では、測定装置１において予め設定された測定条件に従って一連の測定処理および測定結果の表示処理が実行されているときに、スマートフォン２において、制御部２６が送信要求信号Ｓ０を測定装置１に送信する「第１の処理」と、測定装置１から送信された測定結果表示用データＤ１に基づく測定結果（測定結果表示３１）を表示部２３に表示させる「第２の処理」とが交互に実行される。つまり、この測定システム１００では、スマートフォン２の制御部２６が、測定装置１に送信要求信号Ｓ０を送信してから、その送信要求信号Ｓ０に応じて測定結果表示用データＤ１が送信されるまで、次の測定結果表示用データＤ１を要求する送信要求信号Ｓ０を送信することなく待機する構成が採用されている。これにより、測定装置１からスマートフォン２への測定結果表示用データＤ１の送信と、スマートフォン２から測定装置１への送信要求信号Ｓ０の送信とが重なって、スマートフォン２によって測定結果表示用データＤ１が受信されなかったり、測定装置１によって送信要求信号Ｓ０が受信されなかったりする事態が回避される。
【００４０】
一方、この測定システム１００では、スマートフォン２から測定装置１に送信要求信号Ｓ０が送信されてから、測定装置１からスマートフォン２に測定結果表示用データＤ１が送信されることなく、予め規定された時間が経過したときに、スマートフォン２において、上記の「第２の処理」が実行されることなく「第１の処理」が実行される構成が採用されている。具体的には、図４に示すように、一例として、時点ｔ２２にスマートフォン２から測定装置１に送信した送信要求信号Ｓ０に応じて、時点ｔ２１から時点ｔ２３までの間に測定された測定値に基づく測定結果表示用データＤ１が時点ｔ２３に測定装置１からスマートフォン２に送信され、この測定結果表示用データＤ１に基づく測定結果（測定結果表示３１）が表示部２３に表示された状態において、時点ｔ２４にスマートフォン２から測定装置１に次の測定結果表示用データＤ１の送信を要求する送信要求信号Ｓ０が送信されたものとする。
【００４１】
この場合、測定システム１００が正常に動作している状態においては、時点ｔ２４に送信された送信要求信号Ｓ０に応じて、時点ｔ２５に測定装置１からスマートフォン２に測定結果表示用データＤ１が送信される。しかしながら、例えば、時点ｔ２４にスマートフォン２から送信された送信要求信号Ｓ０が測定装置１によって受信されなかったときには、測定装置１からスマートフォン２への測定結果表示用データＤ１の送信が実行されないこととなる。このような状態において、この測定システム１００では、制御部２６が、送信要求信号Ｓ０を測定装置１に送信してから、予め規定された時間（一例として、０．５秒：「第１の時間」の一例）が経過した時点ｔ２６に測定装置１に対して送信要求信号Ｓ０を送信する「第１の処理」を実行する。これにより、この送信要求信号Ｓ０が測定装置１によって受信されたときには、時点ｔ２５から時点ｔ２７までの間に測定された測定値に基づく測定結果表示用データＤ１が時点ｔ２７に測定装置１からスマートフォン２に送信され、この測定結果表示用データＤ１に基づく測定結果（測定結果表示３１）が時点ｔ２７から時点ｔ２８まで表示部２３に表示される。
【００４２】
なお、上記の例では、時点ｔ２３に測定装置１から送信された測定結果表示用データＤ１に基づく測定結果（測定結果表示３１）が表示部２３（測定処理用画面３０）に表示された状態が時点ｔ２３から時点ｔ２７まで継続される。また、時点ｔ２４に送信された送信要求信号Ｓ０が測定装置１によって受信されたものの、その送信要求信号Ｓ０に応じて時点ｔ２５に測定装置１からスマートフォン２に送信された測定結果表示用データＤ１がスマートフォン２によって受信されなかったときにも、上記の例と同様の処理が実行される。
【００４３】
一方、この測定システム１００では、測定装置１による測定処理、およびスマートフォン２への測定結果の表示処理の実行中に、スマートフォン２の操作部２２を操作して、測定処理の条件を変更することができるように構成されている。具体的には、一例として、測定処理に際して、測定部１１にフィルタリング処理を実行させる際には、スマートフォン２の表示部２３に表示された測定処理用画面３０の操作スイッチ表示３２における「Filter」の部位（図２参照）をタッチする。この際には、操作部２２からの操作信号に基づき、制御部２６がフィルタリング処理の実行を指示する操作が行われたと判別して（「測定処理の条件が指定されたとき」の一例）、測定装置１（測定部１１）にフィルタリング処理を実行させる制御データＤ０を生成し、生成した制御データＤ０を無線通信部２４から測定装置１に送信させる。
【００４４】
この場合、この測定システム１００（スマートフォン２）では、制御部２６が、測定結果表示用データＤ１が測定装置１から送信されてから「第１の処理」を開始する（次の送信要求信号Ｓ０を送信する）までの間、および送信要求信号Ｓ０を送信してから測定結果表示用データＤ１が測定装置１から送信されることなく「第１の時間」が経過してから次の「第１の処理」を開始する（次の送信要求信号Ｓ０を送信する）までの間のいずれかの時間内に、上記の生成した制御データＤ０を測定装置１に送信する処理（「第３の処理」の一例）を実行する。具体的には、このスマートフォン２では、一例として、測定装置１からの測定結果表示用データＤ１を受信してから０．１秒が経過した時点、または、測定装置１から測定結果表示用データＤ１が送信されなかったときには、測定装置１に送信要求信号Ｓ０を送信してから０．４秒が経過した時点において、制御部２６が無線通信部２４から測定装置１に制御データＤ０を送信する構成が採用されている。
【００４５】
また、測定装置１では、スマートフォン２から制御データＤ０が送信されたときに、制御部１６が測定部１１を制御して、制御データＤ０によって指示された条件で測定処理を実行させる。これにより、測定部１１によって測定値に対するフィルタリング処理が実行されて、フィルタリング処理後の測定値が制御部１６に出力され、その測定値に基づく測定結果が、測定装置１の表示部１３、およびスマートフォン２の表示部２３にそれぞれ表示される。
【００４６】
この場合、「測定装置」による測定処理の結果を「携帯端末装置」の表示部に表示させる構成としては、上記の測定システム１００のような構成や、従来の遠隔操作システムのような構成だけではなく、「測定装置」が単独で測定処理を実行して「測定装置」が任意のタイミングで「携帯端末装置」に「測定結果表示用データ」を送信する構成（以下、「構成例１」ともいう）や、「携帯端末装置」が「測定装置」に予め規定された時間間隔で「電気的パラメータを測定しなさい」との「制御データ」を送信すると共に、「測定装置」が「携帯端末装置」からの「制御データ」を受信する都度、電気的パラメータを測定して「測定結果表示用データ」を「携帯端末装置」に送信する構成（以下、「構成例２」ともいう）などが考えられる。
【００４７】
しかしながら、上記の構成例１では、「携帯端末装置」から「測定装置」に「制御データ」などの各種の信号を送信して「携帯端末装置」によって「測定装置」を遠隔操作することができない。また、「携帯端末装置」によって「測定装置」を遠隔操作するには、「任意のタイミングで測定結果表示用データを携帯端末装置に送信するだけの動作モード」に加えて、「携帯端末装置からの制御データに応じて各種の処理を実行する動作モード」を用意する必要が生じることから、「測定装置」の製造コストが高騰するだけでなく、この種の装置の操作に不慣れな利用者にとっては、動作モードの切替え操作が煩雑であるという問題が生じる。
【００４８】
一方、上記の構成例２では、「携帯端末装置」から「測定装置」に任意のタイミングで「制御データ」等を送信することができるものの、「測定装置」と「携帯端末装置」との間の通信が不通となったとき（「携帯端末装置」から「測定装置」に「制御データ」を送信することができなくなったとき）に、「測定装置」による測定処理が中断されてしまうという問題が生じる。また、この構成例２では、従来の遠隔操作システムと同様にして、遠隔操作が不要な場合であっても、「測定装置」を単独で使用して測定処理を実行することができないという問題も生じる。
【００４９】
これに対して、この測定システム１００では、測定装置１側に複数の動作モードを設けることなく、測定部１１による測定処理の結果をスマートフォン２の表示部２３に表示させることができ、また、スマートフォン２の動作状態や、スマートフォン２との通信状態に拘わらず、測定装置１において、予め設定された条件に従って測定処理を実行させることが可能となっている。
【００５０】
このように、このスマートフォン２、および測定システム１００では、制御部２６が、測定システム用プログラムＤｐに従い、送信要求信号Ｓ０を測定装置１に送信する「第１の処理」と、測定結果表示用データＤ１の送信要求に対応して測定結果表示用データＤ１に基づく測定結果を表示部２３に表示させる「第２の処理」とを交互に実行すると共に、送信要求信号Ｓ０を送信してから測定結果表示用データＤ１が送信されることなく「第１の時間」が経過したときに「第２の処理」を実行する。また、上記の測定システム用プログラムＤｐでは、送信要求信号Ｓ０を測定装置１に送信させる「第１の処理」と、測定結果表示用データＤ１の送信要求に対応して測定結果表示用データＤ１に基づく測定結果を表示部２３に表示させる「第２の処理」とを制御部２６に交互に実行させると共に、送信要求信号Ｓ０を送信させてから測定結果表示用データＤ１が送信されることなく「第１の時間」が経過したときに「第２の処理」を制御部２６に実行させるようにプログラミングされている。
【００５１】
したがって、このスマートフォン２、測定システム１００および測定システム用プログラムＤｐによれば、測定装置１からスマートフォン２に測定結果表示用データＤ１が送信されているときにスマートフォン２から測定装置１に送信要求信号Ｓ０が送信されて、測定装置１からの測定結果表示用データＤ１がスマートフォン２によって受信されなかったり、スマートフォン２からの送信要求信号Ｓ０が測定装置１によって受信されなかったりする事態が生じるのを確実に回避することができる。このため、測定装置１から送信された測定結果表示用データＤ１に基づく測定結果（測定結果表示３１）をスマートフォン２の表示部２３に確実に表示させることができる。また、携帯電話からの測定開始指令に従ってＯＴＤＲが測定処理を実行する構成の従来の遠隔操作システムとは異なり、スマートフォン２からの制御データＤ０に従って測定処理を実行する動作モード、および単独で測定処理を実行可能な動作モードの２種類の動作モードで使用できるように測定装置１を構成する必要がないため、測定装置１の製造コストが高騰する事態を回避することができると共に、利用形態に応じて動作モードを切り替える作業が不要となるため、この種の装置の操作に不慣れな利用者であっても、測定装置１を容易に操作することができる。また、スマートフォン２による遠隔操作が不要なときには、測定装置１を単独で使用して測定処理を実行させることもできる。
【００５２】
また、このスマートフォン２、および測定システム１００では、制御部２６が、測定処理の条件が指定されたときに、測定システム用プログラムＤｐに従い、指定された条件に従って生成した制御データＤ０を測定装置１に送信する「第３の処理」を、測定結果表示用データＤ１が送信されてから「第１の処理」を開始するまでの間、および「第１の処理」において送信要求信号Ｓ０を送信してから測定結果表示用データＤ１が送信されることなく「第１の時間」が経過してから次の「第１の処理」を開始するまでの間のいずれかの時間内に実行する。
【００５３】
したがって、このスマートフォン２、および測定システム１００によれば、測定部１１による測定処理や、スマートフォン２による測定結果の表示処理を中断することなく、スマートフォン２の操作部２２を操作して測定部１１の測定処理の条件を変更することができると共に、測定装置１からスマートフォン２に測定結果表示用データＤ１が送信されているときにスマートフォン２から測定装置１に制御データＤ０が送信されて、測定装置１からの測定結果表示用データＤ１がスマートフォン２によって受信されなかったり、スマートフォン２からの制御データＤ０が測定装置１によって受信されなかったりする事態が生じるのを確実に回避することができる。
【００５４】
さらに、この測定システム１００によれば、送信要求信号Ｓ０が送信されたときに、制御部１６が、表示部１３を表示させる時間間隔のＮ倍の時間間隔（一例として、Ｎ＝１倍の時間間隔）で測定結果表示用データＤ１をスマートフォン２に送信することにより、測定装置１からスマートフォン２に同一の測定結果表示用データＤ１が連続して送信される事態が生じるのを回避して、測定装置１およびスマートフォン２の間における不要な通信を十分に減少させることができる。
【００５５】
なお、携帯端末装置、測定システムおよび測定システム用プログラムの構成は、上記の例示に限定されない。例えば、ブルートゥース規格に準じた近距離無線通信を実行可能な無線通信部１４を有する測定装置１を備えた測定システム１００を例に挙げて説明したが、この構成に代えて、または、この構成に加えて、無線ＬＡＮに接続可能な無線通信部や、ＩｒＤＡ規格に準じた赤外線通信を実行可能な無線通信部（図示せず）を有する「測定装置」を備えて「測定システム」を構成することもできる。このような構成を採用した場合においても、上記の測定システム１００と同様の効果を奏することができる。また、無線通信部１４，２４間での無線通信によって送信要求信号Ｓ０および制御データＤ０や測定結果表示用データＤ１を送受信させる使用方法を例に挙げて説明したが、上記の測定システム１００では、有線通信部１５，２５の間を信号ケーブルＣで接続した状態において、送信要求信号Ｓ０および制御データＤ０や測定結果表示用データＤ１を有線通信で送受信させることもできる。さらに、測定装置１およびスマートフォン２間の通信手段としては、近距離無線通信や有線通信等に限定されず、公衆回線網やインターネット通信網等を利用した遠距離通信を利用することができる。
【００５６】
また、スマートフォン２の操作によって測定装置１による測定処理の条件を変更することができるように構成した測定システム１００を例に挙げて説明したが、「携帯端末装置」から「測定装置」を遠隔操作させない構成を採用することもできる。さらに、測定結果を表示可能な表示部１３を備えた測定装置１を例に挙げて説明したが、「測定装置側表示部」が存在しない構成を採用することもできる。また、クランプ式抵抗測定装置である測定装置１を備えた構成を例に挙げて説明したが、電流値や電圧値などの各種の電気的パラメータを測定可能な「測定装置」を備えて構成することができる。
【符号の説明】
【００５７】
１００  測定システム
１  測定装置
２  スマートフォン
１１  測定部
１２，２２  操作部
１３，２３  表示部
１４，２４  無線通信部
１５，２５  有線通信部
１６，２６  制御部
３０  測定処理用画面
３１  測定結果表示
３２  操作スイッチ表示
Ｃ  信号ケーブル
Ｄ０  制御データ
Ｄ１  測定結果表示用データ
Ｄｐ  測定システム用プログラム
Ｓ０  送信要求信号
【図１】
2013198024.tif 000003
【図２】
2013198024.tif 000004
【図３】
2013198024.tif 000005
【図４】
2013198024.tif 000006